(57)【要約】【課題】紙幣処理装置において、紙幣の分別処理を行う際に複数の分別基準を設定可能にする。【解決手段】紙幣処理装置１は、紙幣の識別を行う識別部１８と、紙幣を分別集積する複数の集積部５１〜５５と、複数の集積部５１〜５５毎に、紙幣の分別基準を可変に設定すると共に、複数の集積部５１〜５５毎に設定した分別基準と、識別部１８の識別結果と、に応じて、複数の集積部５１〜５５に紙幣を振り分ける制御部４１と、を備えている。【選択図】図７
2020160643.tif 000002
【特許請求の範囲】
【請求項１】
紙幣の識別を行う識別部と、
前記紙幣を分別集積する複数の集積部と、
前記複数の集積部毎に、前記紙幣の分別基準を可変に設定すると共に、前記複数の集積部毎に設定した分別基準と、前記識別部の識別結果と、に応じて、前記複数の集積部に前記紙幣を振り分ける制御部と、を備えている紙幣処理装置。
【請求項２】
前記分別基準は、前記紙幣が正券であると判断する基準であって、前記分別基準が高いほど基準が厳しく、
前記複数の集積部には、異なる分別基準が設定されており、
前記制御部は、前記複数の集積部の何れにも振り分け可能な紙幣を、前記分別基準が最高位の集積部に振り分ける請求項１に記載の紙幣処理装置。
【請求項３】
前記制御部は、前記複数の集積部に同じ分別基準が設定されている場合、予め定めたルールに従って、前記紙幣を前記複数の集積部に振り分ける請求項１又は２に記載の紙幣処理装置。
【請求項４】
前記制御部は、前記複数の集積部に同じ分別基準が設定されている場合、所定枚数に到達するまでは、前記複数の集積部のうちの一の集積部に前記紙幣を集積させると共に、所定枚数に到達すれば、他の集積部に前記紙幣を集積させる請求項３に記載の紙幣処理装置。
【請求項５】
前記集積部に集積された紙幣を帯封媒体によって帯封する帯封部と、
前記帯封媒体に印刷をする印刷部と、を備え、
前記印刷部は、帯封された前記紙幣の分別基準に関する情報を、前記帯封媒体に印刷する請求項１〜４のいずれか１項に記載の紙幣処理装置。
【発明の詳細な説明】
【技術分野】
【０００１】
ここに開示する技術は、紙幣処理装置に関する。
【背景技術】
【０００２】
特許文献１には、紙幣処理機が記載されている。この紙幣処理機は、取り込んだ紙幣の券種、表裏、真偽、正損を判別し、判別結果に基づいて複数の集積庫に、紙幣を区分集積する。この紙幣処理機はまた、紙幣の厚さ、質、状態を判別し、その結果に応じて、集積庫のガイドの位置等を変更する。ここで、紙幣の状態には、テープ貼り、角折れ、端面めくれ、しわしわ、よれよれ等がある。
【先行技術文献】
【特許文献】
【０００３】
【特許文献１】特開２００６−３５０９２１号公報
【発明の概要】
【発明が解決しようとする課題】
【０００４】
ところで、特許文献１に記載されているような、紙幣の分別集積を行う紙幣処理装置は、紙幣を正券と判断するか、損券と判断するかの境となる分別基準を、操作者が変更することが可能に構成されている場合がある。紙幣の処理を実行する際に、操作者が分別基準を高く設定すれば、特にきれいな紙幣のみが正券と判断される。分別基準を変更可能に構成すると、紙幣処理装置は、特にきれいな紙幣を抽出したいという操作者の要求を満たすことができる。
【０００５】
ところが、１回の処理を実行する際に、操作者が設定することができる分別基準は一つである。分別基準を高くすることによって、特にきれいな紙幣のみを抽出する場合、紙幣処理装置は、それ以外の紙幣を損券と判断するため、損券が増え過ぎてしまう。損券と判断された紙幣の中には、通常レベルの分別基準であれば正券と判断される紙幣が含まれている。そのため、操作者は、きれいな紙幣を抽出した後、紙幣処理装置の分別基準を通常レベルに設定し直して、損券と判断された紙幣をもう一度、正券と損券とに分別しなければならない。結果として、操作者の手間が増えてしまう。
【０００６】
尚、特にきれいな紙幣のみを抽出したいというニーズは、例えば複数の店舗の売上金を回収して計数をすると共に、釣銭用貨幣を準備して各店舗に発送する現金センターにおいて生まれる場合がある。つまり、現金センターにおいては、回収した売上金の中から特にきれいな紙幣のみを抽出すれば、抽出したきれいな紙幣を、官封券の代わりに、釣銭用貨幣として利用することができる。
【０００７】
ここに開示する技術は、紙幣処理装置において、紙幣の分別処理を行う際に複数の分別基準を設定可能にする。
【課題を解決するための手段】
【０００８】
ここに開示する紙幣処理装置は、紙幣の識別を行う識別部と、前記紙幣を分別集積する複数の集積部と、前記複数の集積部毎に、前記紙幣の分別基準を可変に設定すると共に、前記複数の集積部毎に設定した分別基準と、前記識別部の識別結果と、に応じて、前記複数の集積部に前記紙幣を振り分ける制御部と、を備えている。
【０００９】
この構成によると、紙幣処理装置は、複数の分別基準に従って、紙幣を、複数の集積部に分別することができる。
【００１０】
前記分別基準は、前記紙幣が正券であると判断する基準であって、前記分別基準が高いほど基準が厳しく、前記複数の集積部には、異なる分別基準が設定されており、前記制御部は、前記複数の集積部の何れにも振り分け可能な紙幣を、前記分別基準が最高位の集積部に振り分ける、としてもよい。
【００１１】
こうすることで、紙幣処理装置は、紙幣のきれいさに応じて、複数の集積部に、紙幣を振り分けて集積することができる。
【００１２】
前記制御部は、前記複数の集積部に同じ分別基準が設定されている場合、予め定めたルールに従って、前記紙幣を前記複数の集積部に振り分ける、としてもよい。
【００１３】
前記制御部は、前記複数の集積部に同じ分別基準が設定されている場合、所定枚数に到達するまでは、前記複数の集積部のうちの一の集積部に前記紙幣を集積させると共に、所定枚数に到達すれば、他の集積部に前記紙幣を集積させる、としてもよい。
【００１４】
こうすることで、紙幣処理装置は、複数の集積部に、紙幣を適切に振り分けて集積することができる。
【００１５】
前記紙幣処理装置は、前記集積部に集積された紙幣を帯封媒体によって帯封する帯封部と、前記帯封媒体に印刷をする印刷部と、を備え、前記印刷部は、帯封された前記紙幣の分別基準に関する情報を、前記帯封媒体に印刷する、としてもよい。
【００１６】
ユーザーは、帯封媒体を見れば、当該紙幣の分別基準を知ることができる。
【発明の効果】
【００１７】
以上説明したように、前記の紙幣処理装置によると、紙幣の分別処理を行う際に複数の分別基準を設定することができる。
【図面の簡単な説明】
【００１８】
【図１】図１は、紙幣処理装置の外観を例示する斜視図である。
【図２】図２は、紙幣処理装置の内部構成を例示する図である。
【図３】図３は、紙幣の搬送経路を説明する図である。
【図４】図４は、第２反転部と筐体との隙間の紙幣検知構造を例示する図である。
【図５】図５は、図４とは異なる紙幣検知構造を例示する図である。
【図６】図６は、紙幣の正損に係る分別基準を説明する図である。
【図７】図７は、集積部毎に設定される分別基準の一例を示す図である。
【図８】図８は、紙幣処理装置の表示部に表示される待機画面と、集積部毎に分別基準を設定する設定画面とを例示する図である。
【図９】図９は、帯封紙に印刷される情報例を説明する図である。
【図１０】図１０は、ここに開示する技術が適用可能な紙幣処理装置（紙幣整理機）を例示する外観図である。
【発明を実施するための形態】
【００１９】
以下、紙幣処理装置の実施形態を図面に基づいて詳細に説明する。以下の説明は、紙幣処理装置の一例である。図１は、紙幣処理装置１の外観を示している。図２は、紙幣処理装置１の内部の構成を示している。
【００２０】
紙幣処理装置１は、紙幣を識別及び計数し、種類別に分類をした上で、所定枚数毎の帯封紙幣を作成したり（帯封モード）、紙幣を所定枚数毎に区分したり（バッチモード）、紙幣の計数を行ったり（入金モード）する装置である。紙幣処理装置１は、紙幣整理機とも呼ばれる。尚、以下の説明では、便宜上、図２における紙面左を「前」、紙面右を「後」と呼ぶ場合がある。
【００２１】
（紙幣処理装置の全体構成）
紙幣処理装置１には、バラ紙幣を集積する第１外部集積部１１及び第２外部集積部１２と、バラ紙幣が投入される投入部１３、リジェクト券を集積するリジェクト部１４、帯封された紙幣を出金するための投出部１５、及び、後述する端数紙幣を、操作者に返却する返却部１６がそれぞれ設けられている。
【００２２】
投入部１３は、筐体１０の前面の上部に設けられている。操作者は投入部１３の内部にバラ紙幣を投入することができる。投入部１３は、複数枚の紙幣を、集積した状態で保持する。投入部１３には、様々な金種を含む紙幣が投入される場合がある。投入部１３は、保持している紙幣を、繰り出しローラ１３１によって一枚一枚、筐体１０の内部へ繰り出す。
【００２３】
第１外部集積部１１及び第２外部集積部１２は、紙幣処理装置１の筐体１０の上部に、前後に並んで設けられている。第１外部集積部１１及び第２外部集積部１２はそれぞれ、筐体１０から払い出された紙幣を、複数枚、集積することができる。操作者は、第１外部集積部１１及び第２外部集積部１２に集積されている紙幣を、手で取り出すことができる。
【００２４】
リジェクト部１４は  筐体１０の前面における投入部１３の下側に設けられている。リジェクト部１４は、筐体１０から払い出された紙幣を、複数枚、集積することができる。操作者は、リジェクト部１４に集積されている紙幣を、手で取り出すことができる。
【００２５】
投出部１５は、筐体１０の前面の下部に開口している。帯封紙幣は、投出部１５のスロープを通って筐体１０の外に投出される。投出部１５から投出された帯封紙幣は、予め置かれた容器等に入る。
【００２６】
返却部１６は、筐体１０の上部に設けられている。返却部１６は、紙幣が載るトレイ１６１を有している。トレイ１６１は、図２に実線及び一点鎖線で示すように、前後方向に移動する。紙幣を載せたトレイ１６１が、一点鎖線で示すように前進すると、操作者は、トレイ１６１から紙幣を、手で取り出すことができる。
【００２７】
紙幣処理装置１の上部には、表示部１７が設けられている。表示部１７は、タッチパネルからなる。表示部１７は、操作者が操作を行うための操作部を兼用する。表示部１７は、紙幣処理装置１が処理を行っているときには、紙幣の処理状況等の情報を含んだ計数画面を表示する。表示部１７はまた、紙幣の処理に関する設定項目を、操作者が入力するための設定画面を表示する。
【００２８】
図２に示すように、紙幣処理装置１は、筐体１０の内部に、識別部１８、第１反転部２１、第２反転部２２、搬送部３、第１〜第５集積部５１〜５５、運搬部６、帯封部７、制御部４１、及び記憶部４２を備えている。
【００２９】
搬送部３は、紙幣の搬送方向の順に、投入部１３から、識別部１８、第１反転部２１、リジェクト部１４、第２反転部２２、第１〜第５集積部５１〜５５、第１外部集積部１１及び第２外部集積部１２までの間で、バラ紙幣の搬送を行う。搬送部３は、筐体１０の内部に配設された搬送路３１を有している。搬送路３１は、図示は省略するが、多数のローラ、複数のベルト、これらを駆動するモータ、搬送される紙幣を検出する通過センサ及び複数のガイドの組み合わせによって構成されている。搬送部３は、所定の間隔を空けて、紙幣を一枚一枚、搬送路３１に沿って搬送する。
【００３０】
識別部１８は、投入部１３の後側に設けられている。識別部１８は、搬送路３１に沿って搬送される紙幣の情報を、各種のセンサを用いて取得すると共に、取得した紙幣の情報に基づいて、金種、真偽、表裏、向き、正損、新旧、搬送状態等を識別する。
【００３１】
第１反転部２１は、スイッチバック機構を含み、識別部１８の識別結果に応じて、紙幣の表裏及び天地方向の両方を、選択的に反転する。つまり、第１反転部２１は、表裏及び天地方向の向きを反転する必要がある紙幣を反転させると共に、表裏及び天地方向の向きを反転する必要がない紙幣を、そのまま通過させる。第１反転部２１を通過した紙幣は、少なくとも表裏が揃う。
【００３２】
リジェクト部１４は、第１反転部２１の前側に配設されている。リジェクト部１４につながる搬送路１４１は、紙幣の搬送方向について第１反転部２１の下流から分岐している。リジェクト券と識別された紙幣は、リジェクト部１４に搬送される。
【００３３】
第２反転部２２は、スパイラル機構を含み、紙幣の搬送幅方向の向きを、選択的に反転する。第２反転部２２は、識別部１８の識別結果に応じて、左右方向の向きを反転する必要がある紙幣を反転させると共に、左右方向の向きを反転する必要がない紙幣を、そのまま通過させる。第２反転部２２を通過した紙幣は、表裏及び天地の両方が揃う。この紙幣処理装置１は、第１反転部２１と第２反転部２２との二種類の反転部を有しているため、紙幣の表裏及び天地方向の向きの両方を揃えることができる。
【００３４】
第１〜第５集積部５１〜５５は、識別部１８、第１反転部２１及び第２反転部２２の後側に配設されている。第１〜第５集積部５１〜５５は、上下方向に並んで配設されている。第１〜第５集積部５１〜５５は、帯封対象の紙幣を分別して集積する。操作者は、第１〜第５集積部５１〜５５に分別して集積する紙幣の分別基準を設定することができる。分別基準の設定に関しては、後述する。
【００３５】
第２反転部２２の下流で紙幣を搬送する搬送路３１は、第１〜第５集積部５１〜５５の前側でかつ、識別部１８、第１反転部２１及び第２反転部２２の後側で、上下方向に伸びて配設されている。上下方向に伸びる搬送路３１から分岐した五つの分岐路が、第１〜第５集積部５１〜５５のそれぞれに接続されている。紙幣は、第１〜第５集積部５１〜５５のそれぞれに対し、前側から投入される。投入された紙幣は、第１〜第５集積部５１〜５５のそれぞれに集積される。
【００３６】
図示は省略するが、各分岐路の分岐箇所には、紙幣の搬送方向を切り替える分岐爪が設けられている。制御部４１は、識別部１８の識別結果に応じて、各分岐爪を動かす。このことによって、紙幣は、第１〜第５集積部５１〜５５に、選択的に投入される。つまり、制御部４１は、複数の集積部５１〜５５に紙幣を振り分ける。
【００３７】
上下方向に伸びる搬送路３１の下流部は二つに分岐して、第１外部集積部１１及び第２外部集積部１２のそれぞれに接続されている。分岐箇所には、図示は省略するが、分岐爪が配設されている。制御部４１は、識別部１８の識別結果に応じて、分岐爪を動かすことにより、紙幣は、第１外部集積部１１及び第２外部集積部１２に、選択的に投入される。
【００３８】
運搬部６は、上下方向に並んだ第１〜第５集積部５１〜５５の後側に配設されている。運搬部６は、紙幣を掴むアーム部６１と、アーム部６１を上下方向に往復移動させるガイド部６２とを備えている。ガイド部６２は、上下方向に伸びている。アーム部６１は、ガイド部６２に沿って上下方向に移動する。アーム部６１は、第１〜第５集積部５１〜５５それぞれの高さ位置に位置づけられ、第１〜第５集積部５１〜５５に集積されている紙幣を、後方に向かって取り出す。
【００３９】
帯封部７は、第２反転部２２の下側に配設されている。帯封部７は、運搬部６の下端部に位置している。運搬部６は、第１〜第５集積部５１〜５５から取り出した紙幣を、帯封部７に運搬する。帯封部７の構成の詳細な図示は省略するが、帯封部７は、公知の様々な構成を採用することができる。帯封部７は、例えば、リール７４から引き出された、帯封媒体としての帯封紙を、紙幣の束の外周囲に巻き付けることによって帯封を行うようにしてもよい。帯封部７はまた、帯封紙によって形成した輪の中に紙幣の束を挿入することによって帯封を行うようにしてもよい。
【００４０】
帯封部７は、帯封紙に情報を印す印刷部７１を有している。印刷部７１は、帯封紙に印字を行う印字部、及び、帯封紙にスタンプを押す押印部の両方、又は、いずれか一方を含んでいる。印刷部７１は、帯封をする前、又は、帯封をした後に、帯封紙に情報を印刷する。印刷部７１が、帯封紙に印刷する情報については、後述する。
【００４１】
帯封部７の前側には、ベルト式の第２運搬部７２が設けられている。第２運搬部７２は、帯封部７が帯封をした帯封紙幣を、前方に向かって投出部１５まで搬送する。帯封紙幣は、投出部１５のスロープを通って筐体１０の外に投出される。
【００４２】
紙幣処理装置１が分類処理を行った際、帯封枚数に至らずに第１〜第５集積部５１〜５５に紙幣が残ってしまう場合がある。運搬部６は、第１〜第５集積部５１〜５５に残った端数紙幣を返却部１６へ運搬する。
【００４３】
制御部４１は、図示は省略するが、第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、及び、帯封部７が、信号の授受可能に接続されている。記憶部４２には、各種の情報やプログラムが記憶されている。制御部４１は、前述した第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、及び、帯封部７に、記憶部４２が記憶している各種の情報やプログラムに基づいて制御信号を出力する。このことにより、紙幣処理装置１は、紙幣を識別及び計数し、種類別に分類をする処理を行う。
【００４４】
記憶部４２はまた、詳細は後述するが、紙幣の正損に関する分別基準を記憶している。
【００４５】
（帯封モード時の紙幣の搬送）
前述したように、紙幣処理装置１は、帯封紙幣を作成する帯封モードを有している。帯封モードにおいて、紙幣処理装置１は、投入部１３に投入された紙幣のうち、操作者が指定した帯封対象の紙幣を帯封することにより帯封紙幣を作成する。帯封紙幣は、投出部１５から投出される。帯封モードにおいて紙幣処理装置１は、帯封紙幣を作成するだけでなく、第１外部集積部１１及び／又は第２外部集積部１２を利用することにより、帯封対象外の紙幣の一部を分類して集積することができる。帯封対象の紙幣、及び、第１外部集積部１１又は第２外部集積部１２に集積される紙幣以外の紙幣は、リジェクト券として、リジェクト部１４に集積される。
【００４６】
図３は、帯封モード時の紙幣の搬送経路を示している。投入部１３は、投入された紙幣を一枚ずつ繰り出す。搬送部３は、図３に実線の矢印で示すように、紙幣を、投入部１３から識別部１８へ搬送する。識別部１８は、紙幣の識別を行う。
【００４７】
搬送部３は、識別部１８を通過した紙幣を、実線の矢印で示すように、第１反転部２１に搬送する。リジェクト券以外の紙幣は、第１反転部２１を通った後、実線の矢印で示すように、第２反転部２２に搬送される。一方、リジェクト券は、第１反転部２１を実質的にバイパスして、点線の矢印で示すように、リジェクト部１４に搬送される。リジェクト券は、リジェクト部１４に集積される。
【００４８】
リジェクト券以外の紙幣は、第２反転部２２を通る。第１反転部２１及び第２反転部２２を通過することにより、紙幣は表裏及び天地の両方が揃う。第２反転部２２を通過した紙幣の内、帯封対象の紙幣は、実線の矢印で示すように、第１〜第５集積部５１〜５５へ搬送される。第１〜第５集積部５１〜５５への紙幣の振り分けについては、後述する。
【００４９】
第１〜第５集積部５１〜５５の内、いずれかの集積部において帯封枚数（通常は、１００枚）の紙幣が集積されると、運搬部６が、集積部から紙幣を取り出すと共に、取り出した紙幣を、帯封部７へと運搬する（図３の二点鎖線の矢印参照）。帯封部７は、紙幣の帯封を行い、帯封紙幣は、投出部１５を通じて、紙幣処理装置１の筐体１０から外に投出される。
【００５０】
また、第２反転部２２を通過した紙幣の内、帯封対象外の紙幣は、図３に一点鎖線で示すように、第１外部集積部１１又は第２外部集積部１２に搬送される。帯封対象外の紙幣は、第１外部集積部１１又は第２外部集積部１２に集積される。
【００５１】
投入部１３に投入された紙幣が全て紙幣処理装置１に取り込まれた後、帯封枚数に至らずに第１〜第５集積部５１〜５５に残った端数紙幣は、返却部１６に返却される。具体的には、図３に破線の矢印で示すように、運搬部６が、端数紙幣を第１〜第５集積部５１〜５５から取り出すと共に、返却部１６のトレイ１６１に搬送する。端数紙幣を載せたトレイ１６１が前進することによって、端数紙幣が操作者に返却される。端数紙幣を、筐体１０の外に払い出すことによって、端数紙幣の取り忘れを防止することができる。
【００５２】
（第２反転部と筐体との隙間の紙幣検知構造）
第２反転部２２は、ユニット化している。図２に二点鎖線で示すように、操作者は、第２反転部２２を、手で、筐体１０の前方に引き出すことができる。第２反転部２２において紙幣の詰まり等が生じたときに、操作者は、第２反転部２２を前方に引き出して、詰まっている紙幣を、第２反転部２２から容易に取り出すことができる。
【００５３】
引き出した第２反転部２２を筐体１０内に戻した後に、第２反転部２２と筐体１０との隙間に紙幣が入り込んでしまう場合がある。当該紙幣は、搬送路３１に沿って搬送される紙幣の詰まりを誘発する恐れがある。また、当該紙幣は違算の原因となる。しかしながら、従来の紙幣処理装置は、第２反転部２２と筐体１０との隙間に入った紙幣を検知することができなかった。これに対し、この紙幣処理装置１は、第２反転部２２と筐体１０との隙間に入り込んだ紙幣を検知する紙幣検知構造を有している。
【００５４】
具体的に紙幣検知構造８は、図４のＡに拡大して示すように、第２反転部２２の入口に相当する搬送路３１の箇所に設けられている。紙幣検知構造８は、発光部８１及び受光部８２と、発光部８１と受光部８２との間の光の経路の一部を形成する二つのプリズム８３、８３と、を有している。
【００５５】
発光部８１及び受光部８２は共に、筐体１０に設けられている。図例では、発光部８１は、搬送路３１を間に挟んだ第１部分、つまり、搬送路３１の後側に配設され、受光部８２は、搬送路３１を間に挟んだ第２部分、つまり、搬送路３１の前側に配設されている。発光部８１と受光部８２との配設位置は、入れ替えてもよい。
【００５６】
二つのプリズム８３、８３は共に、第２反転部２２に設けられている。図例では、第２反転部２２が筐体１０に取り付けられた状態で、一つのプリズム８３が、発光部８１に向かい合うように、搬送路３１を間に挟んだ第１部分、つまり、搬送路３１の後側に配設され、もう一つのプリズム８３が、受光部８２に向かい合うように、搬送路３１を間に挟んだ第２部分、つまり、搬送路３１の前側に配設されている。電気的構成を含まないプリズム８３、８３を、筐体１０から引き出される第２反転部２２に設けることにより、紙幣検知構造８の構成が簡略になる。
【００５７】
発光部８１が発光した検知光は、搬送路３１の後側において、筐体１０と第２反転部２２との隙間を上から下へ横切ってプリズム８３に入射する。プリズム８３が検知光を反射することによって、検知光は、第２反転部２２の搬送路３１を後から前へ横切ってもう一つのプリズム８３に入射する。もう一つのプリズム８３も同様に、検知光を反射することによって、検知光は、搬送路３１の前側において、筐体１０と第２反転部２２との隙間を下から上へ横切って受光部８２に入射する。搬送路３１の後側において、図示したように、筐体１０と第２反転部２２との隙間に紙幣ＢＮが入った場合には、当該紙幣ＢＮが検知光を遮ることにより、紙幣検知構造８は、紙幣ＢＮを検知することができる。尚、図示は省略するが、搬送路３１の前側において、筐体１０と第２反転部２２との隙間に紙幣ＢＮが入った場合にも、紙幣検知構造８は、紙幣ＢＮを検知することができる。
【００５８】
また、図４のＢに拡大して示すように、第２反転部２２の出口に相当する搬送路３１の箇所にも、紙幣検知構造８が設けられている。紙幣検知構造８は、前記と同様に、発光部８１及び受光部８２と、二つのプリズム８３、８３と、を有している。発光部８１及び受光部８２は共に、筐体１０に設けられている。二つのプリズム８３、８３は共に、第２反転部２２に設けられている。この紙幣検知構造８においても、発光部８１が発光した検知光は、搬送路３１を間に挟んだ第１部分側、つまり、搬送路３１の下側において、筐体１０と第２反転部２２との隙間を後から前へ横切ってプリズム８３に入射する。プリズム８３が検知光を反射することによって、検知光は、第２反転部２２の搬送路３１を下から上へ横切ってもう一つのプリズム８３に入射する。もう一つのプリズム８３も同様に、検知光を反射することによって、検知光は、搬送路３１を間に挟んだ第２部分側、つまり、搬送路３１の上側において、筐体１０と第２反転部２２との隙間を前から後へ横切って受光部８２に入射する。
【００５９】
搬送路３１の下側において、図示したように、筐体１０と第２反転部２２との隙間に紙幣ＢＮが入った場合には、紙幣検知構造８は、紙幣ＢＮを検知することができる。また、図示は省略するが、搬送路３１の上側において、筐体１０と第２反転部２２との隙間に紙幣ＢＮが入った場合にも、紙幣検知構造８は、紙幣ＢＮを検知することができる。
【００６０】
前述したように、操作者が第２反転部２２において詰まった紙幣を取り除いた後、引き出した第２反転部２２を筐体１０に戻すと、紙幣処理装置１は、二つの紙幣検知構造８の検知結果に基づいて、筐体１０と第２反転部２２との隙間に紙幣が入っているか否かを判断する。紙幣検知構造８が紙幣を検知していない場合、紙幣処理装置１は、装置を待機状態にする。一方、紙幣検知構造８が紙幣を検知している場合、紙幣処理装置１は、装置を待機状態にせずに、例えば表示部１７に、紙幣を検知している旨を表示することにより、操作者に紙幣の存在を報知する。報知を受けた操作者は、第２反転部２２をもう一度、筐体１０から引き出して、第２反転部２２と筐体１０との間に入った紙幣を取り除くことができる。紙幣検知構造８が隙間に入り込んだ紙幣を検知するから、この紙幣処理装置１は、紙幣の詰まりを抑制することができると共に、違算の発生を防ぐことができる。
【００６１】
また、この紙幣検知構造８は、検知光が第２反転部２２における搬送路３１も横切る構成であるため、第２反転部２２の搬送路３１に沿って搬送される紙幣を検知するセンサとしても用いることができる。つまり、紙幣検知構造８は、第２反転部２２と筐体１０との隙間に入った紙幣を検知するセンサと、第２反転部２２の搬送路３１における紙幣の通過センサとを兼用している。この紙幣検知構造８は、紙幣処理装置１のセンサの数が増えることを抑制する。
【００６２】
さらに、筐体１０に対して第２反転部２２が正しく取り付けられていない場合は、第２反転部２２の入口、及び／又は、出口の紙幣検知構造８において、発光部８１から受光部８２までの間の光の経路がずれる。紙幣検知構造８は、紙幣の残留を検知するだけでなく、第２反転部２２が、筐体１０に対して正しく取り付けられているか否かも検知することができる。紙幣検知構造８の検知結果に基づいてユーザーは、第２反転部２２を筐体１０に正しく取り付けるようになるから、第２反転部２２の入口及び出口のそれぞれにおいて、搬送部３は、紙幣をスムースに搬送することができる。搬送路３１における紙幣の詰まりを抑制することができると共に、搬送中に紙幣が傷むことが抑制される。
【００６３】
図５は、紙幣検知構造８’の変形例を示している。紙幣検知構造８’は、プリズム８３を用いる代わりに、二対の発光部８１及び受光部８２を有している。一対の発光部８１及び受光部８２は、その発光部８１が筐体１０に設けられ、その受光部８２が第２反転部２２に設けられている。もう一対の発光部８１及び受光部８２は、その発光部８１が第２反転部２２に設けられ、その受光部８２が筐体１０に設けられている。尚、各対の発光部８１を筐体１０に設け、各対の受光部８２を第２反転部２２に設けてもよい。逆に、各対の発光部８１を第２反転部２２に設け、各対の受光部８２を筐体１０に設けてもよい。
【００６４】
各対の発光部８１及び受光部８２の光軸は、搬送路３１を間に挟んだ第１部分側と第２部分側とにおいて、第２反転部２２と筐体１０との隙間を横切る。この構成の紙幣検知構造８’も、筐体１０と第２反転部２２との隙間に入った紙幣ＢＮを検知することができる。また、紙幣検知構造８’は、筐体１０に対して第２反転部２２が正しく取り付けられているか否かを検知することができる。
【００６５】
（紙幣の正損の判断に関する分別基準）
紙幣処理装置１は、紙幣の情報に基づいて紙幣の正損を判断する際の分別基準を、操作者が変更・設定することが可能に構成されている。分別基準は、当該紙幣を正券と判断するか、損券と判断するかの基準を意味する。
【００６６】
図６は、紙幣の正損（具体的には汚損）の判断に係る分別基準を例示している。この紙幣処理装置１において、操作者は、金種毎に、レベル１〜レベル７までの７段階で分別基準を設定することが可能である。レベル１は分別基準が甘く、識別部１８がレベル１で正損を判断すると、正券と判断される紙幣が多くかつ、損券と判断される紙幣が少なくなる。レベル７は分別基準が厳しく、識別部１８がレベル７で正損を判断すると、正券と判断される紙幣が少なくかつ、損券と判断される紙幣が多くなる。識別部１８がレベル７で正券と判断した紙幣は、官封券に近い。レベル０は、正損の判断を行わないことを意味する。つまり、分別基準がレベル０であれば、紙幣処理装置１は、真券と識別した紙幣を全て正券として取り扱う。
【００６７】
従来の紙幣処理装置では、操作者は、一回の処理について、正損の分別基準を一つだけ定めることができた。これに対し、この紙幣処理装置１は、一回の処理について、操作者は、正損の分別基準を複数、定めることができる。より具体的に操作者は、一回の処理において、第１集積部５１〜第５集積部５５毎に、個別に、分別基準を定めることができる。
【００６８】
図７は、集積部毎に設定された分別基準を例示している。図７の例では、第５集積部５５及び第４集積部５４の分別基準が、レベル７に設定され、第３集積部５３の分別基準が、レベル５に設定され、第２集積部５２の分別基準が、レベル２に設定され、第１集積部５１の分別基準が、レベル０に設定されている。つまり、レベル７の分別基準において正券と判断される紙幣は、第５集積部５５又は第４集積部５４に集積され、レベル５の分別基準において正券と判断される紙幣は、第３集積部５３に集積され、レベル２の分別基準において正券と判断される紙幣は、第２集積部５２に集積され、レベル２の分別基準において損券と判断される紙幣は、第１集積部５１に集積される。
【００６９】
操作者は、図７に例示するように、複数の集積部の内の一部の集積部について、同じ分別基準を設定することが可能である。また、操作者は、図７の例とは違って、複数の集積部の全てについて異なる分別基準を設定することも可能である。さらに、従来の紙幣処理装置と同様に、操作者は、複数の集積部の全てについて同じ分別基準を設定することも可能である。
【００７０】
操作者は、集積部毎の分別基準を、表示部１７を通じて設定することができる。図８は、表示部１７が表示する画面を例示している。図８の上図は、紙幣処理装置１の処理開始前の待機画面Ｄ１を例示している。画面Ｄ１では、処理モードとして、帯封モードが選択されていると共に、現行券の金種毎に、正券の帯封紙幣を作成するように、処理内容が設定されている。待機画面Ｄ１が表示部１７に表示されている状態で、操作者が処理対象の紙幣を投入部１３に投入し、第１外部集積部１１及び第２外部集積部１２の側部に設けられたスタートボタン１９（図１参照）を、操作者が操作すると、紙幣処理装置１は処理を開始する。
【００７１】
画面Ｄ１の右下部には、「損検知１」と記載されたボタンが設けられている。このボタンは、現在設定されている、紙幣の正損に関する分別基準を操作者に報知している。操作者が、当該「損検知１」と記載されたボタンを選択する操作を行うと、表示部１７は、図８の下図に示すように、画面Ｄ１上にポップアップ画面ＰＵを表示する。ポップアップ画面ＰＵは、現在設定されている分別基準の情報を操作者に提示する。操作者は、ポップアップ画面ＰＵにおいて、第１〜第５集積部５１〜５５毎に、分別基準を設定することができる。操作者はまた、ポップアップ画面ＰＵにおいて、「万券」、「５千券」、「２千券」、及び「千券」の金種毎に、分別基準を設定することができる。図８の画面構成例は、図７の設定例に対応しており、第５集積部５５及び第４集積部５４は、「万券」、「５千券」、「２千券」、及び「千券」の全ての金種について、レベル７の分別基準が設定され、第３集積部５３は、全ての金種について、レベル５の分別基準が設定され、第２集積部５２は、全ての金種について、レベル２の分別基準が設定され、第１集積部５１は、全ての金種について、レベル０の分別基準が設定されている。
【００７２】
ここで、集積部毎に分別基準が設定された場合に、制御部４１が行う紙幣の振り分けについて、図７の設定例に基づいて説明をする。前述したように、搬送部３は、帯封対象の紙幣を、第１〜第５集積部５１〜５５へ搬送する。制御部４１は、識別部１８の識別結果と分別基準とに基づいて、紙幣の集積先を、第１〜第５集積部５１〜５５から選択する。具体的に制御部４１は、識別部１８がレベル７の基準において正券と判断した紙幣を、第５集積部５５又は第４集積部５４へ振り分ける。レベル７は分別基準が厳しいため、レベル７の基準において正券と判断された紙幣は、レベル５の基準又はレベル２の基準においても正券と判断される。従って、当該紙幣は、第３集積部５３や第２集積部５２（又は第１集積部５１）へ集積することも可能であるが、制御部４１は、複数の集積部の何れにも振り分け可能な紙幣を、分別基準が最高位の集積部に振り分ける。この例では、分別基準が最高位の集積部は、分別基準がレベル７である第５集積部５５又は第４集積部５４である。分別基準が最高位の集積部に振り分けることで、紙幣処理装置１は、紙幣のきれいさに応じて、複数の集積部に、紙幣を振り分けて集積することができる。
【００７３】
制御部４１はまた、識別部１８がレベル５の基準において正券と判断した紙幣を、第３集積部５３へ振り分ける。この場合も、制御部４１は、複数の集積部の何れにも振り分け可能な紙幣を、分別基準が最高位の集積部に振り分けている。
【００７４】
制御部４１はさらに、識別部１８がレベル２の基準において正券と判断した紙幣を、第２集積部５２へ振り分けると共に、識別部１８がレベル０の基準において正券と判断した紙幣を、第１集積部５１へ振り分ける。レベル０は正損を判断しないため、識別部１８がレベル２の基準において損券と判断した紙幣は、第１集積部５１へ振り分けられる。
【００７５】
ここで、複数の分別基準に従って紙幣の正損を識別する際に、識別部１８は、取得した紙幣の情報と、設定されている各分別基準とを順に比較することによって、分別基準のそれぞれにおいて、対象の紙幣が正券であるか損券であるかを識別してもよい。前述した例では、対象の紙幣がレベル７の基準において正券であるか損券であるかを識別すると共に、当該紙幣がレベル５の基準において正券であるか損券であるかを識別し、かつ、当該紙幣がレベル２の基準において正券であるか損券であるかを識別する。これにより、制御部４１は、複数の集積部毎に設定した分別基準と、識別部１８の識別結果と、に応じて、複数の集積部に紙幣を振り分けることができる。
【００７６】
また、識別部１８は、取得した紙幣の情報と各分別基準とに基づいて、対象の紙幣が正券と識別される最高位の分別基準を判断してもよい。この場合も、制御部４１は、紙幣を、複数の集積部毎に設定した分別基準と、識別部１８の識別結果と、に応じて、複数の集積部に振り分けることができる。
【００７７】
ここで、図７の第５集積部５５及び第４集積部５４のように、分別基準が同じ複数の集積部が存在する場合、制御部４１は、予め定めた振り分けルールに従って紙幣の振り分けを行う。制御部４１は、帯封枚数（例えば１００枚）に至るまでは、複数の集積部のうちの一つの集積部に紙幣を集積させ、当該集積部に帯封枚数分の紙幣が集積されると、制御部４１は、他の集積部に紙幣を集積させる、としてもよい。
【００７８】
帯封枚数に至った紙幣は、運搬部６が集積部から取り出して帯封部７へと運搬するが、複数の集積部のうちの一つに、帯封枚数分の紙幣を優先的に集積させることにより、当該集積部から紙幣を取り出している間に、他の集積部に紙幣を集積することができる。紙幣の搬送を中断することなく、紙幣の集積を継続することができるため、紙幣処理装置１は、処理時間を短縮することができる。
【００７９】
尚、振り分けルールは、前述したルールに限らない。制御部４１は、複数の集積部に対して、紙幣を交互に振り分けてもよい。
【００８０】
図９は、帯封紙幣の帯封紙９に対する印字例を示している。印刷部７１は、帯封紙９に、当該帯封紙幣を作成した年（ＹＹＹＹ（４桁））、月（ＭＭ（２桁））、日（ＤＤ（２桁））、及び時分秒（ＴＴＴＴＴＴ（６桁））のデータの他に、任意指定データ（ＸＸ（２桁））及び（ＺＺＺ（３桁））を印刷する。任意指定データは、例えば帯封紙幣を作成した装置に関する情報や、帯封紙幣を作成した担当者に関する情報である。印刷部７１はまた、帯封紙９に、当該帯封紙幣の正損に関する分別基準の情報（Ｖ（１桁））を印刷する。印刷部７１は、分別基準の情報として、例えばレベルの数字（７〜０）を印刷してもよい。帯封紙幣を見ただけでは、当該紙幣の分別基準を知ることはできないが、担当者は、帯封媒体を見れば、当該紙幣の分別基準を知ることができる。また、わかりやすいように「正損レベル：７」と印刷するようにしてもよい。
【００８１】
印刷部７１はまた、当該帯封紙幣が集積された集積部の番号（５〜１）を印刷してもよい。紙幣処理装置１又は紙幣処理装置１の上位装置には、帯封紙幣を作成した際のログデータが記憶されているため、帯封紙に印字された各情報とログデータとを突き合わせることによって、担当者は、当該帯封紙幣の正損に関する分別基準がわかる。
【００８２】
以上のように、この紙幣処理装置１は、正損を分別する処理に関して、１回の処理によって、正券と損券とを分別することに加え、複数の分別基準に従い正券を複数に分別することができる。これにより、正損の分別を行いながら、特にきれいな紙幣のみを抽出するといった処理が可能になる。例えば複数の店舗の売上金を回収して計数をすると共に、釣銭用貨幣を準備して各店舗に発送する現金センターにおいて、回収した売上金の中から特にきれいな紙幣のみを抽出すれば、抽出したきれいな紙幣を、官封券の代わりに、釣銭用貨幣として利用することができる。
【００８３】
ここに開示する技術は、図１に示す紙幣処理装置１に適用することに限らない。例えば図１０に例示するような卓上型の紙幣整理機１００に、ここに開示する技術を適用してもよい。この紙幣整理機１００は、帯封機能を有していないが、複数の集積部を利用して、前述した入金モードと、バッチモードとを実行することが可能である。尚、バッチモードは、帯封紙幣の作成を目的として実行すること可能である。紙幣整理機１００においては、複数の集積部毎に、紙幣の分別基準を定めればよい。
【００８４】
さらに、図示は省略するが、ここに開示する技術は、その他の様々な構成の紙幣処理装置に適用することが可能である。
【符号の説明】
【００８５】
１  紙幣処理装置
１８  識別部
１００  紙幣整理機（紙幣処理装置）
４１  制御部
５１  第１集積部
５２  第２集積部
５３  第３集積部
５４  第４集積部
５５  第５集積部
７  帯封部
７１  印刷部
【図１】
2020160643.tif 000003
【図２】
2020160643.tif 000004
【図３】
2020160643.tif 000005
【図４】
2020160643.tif 000006
【図５】
2020160643.tif 000007
【図６】
2020160643.tif 000008
【図７】
2020160643.tif 000009
【図８】
2020160643.tif 000010
【図９】
2020160643.tif 000011
【図１０】
2020160643.tif 000012